(57)【特許請求の範囲】
【請求項１】
移動局（ＭＳ）においてＣｏ−Ｌｏｃａｔｅｄ  Ｃｏｅｘｉｓｔｅｎｃｅ（ＣＬＣ）モードをサポートする方法であって、前記方法は、
ハンドオーバープロセスを始めるために、前記ＣＬＣモードである前記ＭＳによって、ハンドオーバー要請メッセージを第１の基地局（ＢＳ）に送信することと、
前記第１のＢＳから、前記ハンドオーバー要請メッセージを承認するハンドオーバー命令メッセージを受信することと、
前記ＭＳによって、ハンドオーバー後のネットワーク再進入においてレンジング要請メッセージを第２のＢＳに送信することと、
前記第２のＢＳから、前記第２のＢＳによって設定されたＣＬＣ開始時間情報を含むレンジング応答メッセージを受信することと
を含む、方法。
【請求項２】
前記ＣＬＣ開始時間情報は、ＣＬＣ開始時間を指示し、
前記ＣＬＣ開始時間情報は、前記ＣＬＣ開始時間のスーパーフレーム番号を指示するスーパーフレーム番号（ＳＦＮ）フィールドと、前記ＣＬＣ開始時間のフレームインデックスを指示する開始フレームインデックス（ＳＦＩ）フィールドとを含む、請求項１に記載の方法。
【請求項３】
前記レンジング応答メッセージは、前記ＣＬＣモードのクラスを識別するＣＬＣ識別子をさらに含む、請求項２に記載の方法。
【請求項４】
前記ＣＬＣモードは、タイプＩ  ＣＬＣモードまたはタイプＩＩ  ＣＬＣモードである、請求項３に記載の方法。
【請求項５】
前記ＣＬＣ開始時間情報は、バックボーンネットワークを通じて前記第１のＢＳから獲得されたＣＬＣ情報に基づいて、前記第２のＢＳによって設定される、請求項３に記載の方法。
【請求項６】
前記ＣＬＣ情報は、ＣＬＣアクティブ周期およびＣＬＣアクティブ区間の情報を含む、請求項５に記載の方法。
【請求項７】
前記第１のＢＳは、前記ＭＳが前記ＣＬＣモードに進入する場合に、サービングＢＳであり、
前記第２のＢＳは、前記ＭＳのハンドオーバーに対するターゲットＢＳである、請求項３に記載の方法。
【請求項８】
ハンドオーバー指示メッセージを送信することと、
前記ハンドオーバー指示メッセージを送信した後に、前記ＣＬＣモードを中止することと、
前記ＭＳが前記第２のＢＳのネットワークに進入した後に、前記ＣＬＣモードを再開することと
をさらに含む、請求項３に記載の方法。
【請求項９】
前記ハンドオーバー命令メッセージによって指示された切断時間において前記ＣＬＣモードを中止することと、
前記ＭＳが前記第２のＢＳのネットワークに進入した後に、前記ＣＬＣモードを再開することと
をさらに含む、請求項３に記載の方法。
【請求項１０】
第１の基地局（ＢＳ）においてＣｏ−Ｌｏｃａｔｅｄ  Ｃｏｅｘｉｓｔｅｎｃｅ（ＣＬＣ）モードをサポートする方法であって、
移動局（ＭＳ）がハンドオーバー準備手順を行う間に、バックボーンネットワークを通じて第２のＢＳから前記ＭＳのＣＬＣ情報を獲得することと、
前記ＭＳから、レンジング要請メッセージを受信することと、
ネットワーク再進入の間に、前記ＣＬＣ情報に基づいて前記第１のＢＳによって設定されたＣＬＣ開始時間情報を含むレンジング応答メッセージを、前記ＭＳに送信することと
を含み、
前記ＭＳは、前記ＣＬＣモードである、方法。
【請求項１１】
前記ＣＬＣ開始時間情報は、ＣＬＣ開始時間のスーパーフレーム番号を指示するスーパーフレーム番号（ＳＦＮ）フィールドと、前記ＣＬＣ開始時間のフレームインデックスを指示する開始フレームインデックス（ＳＦＩ）フィールドとを含む、請求項１０に記載の方法。
【請求項１２】
前記レンジング応答メッセージは、前記ＣＬＣモードのクラスを識別するＣＬＣ識別子をさらに含む、請求項１１に記載の方法。
【請求項１３】
前記ＣＬＣモードは、タイプＩ  ＣＬＣモードまたはタイプＩＩ  ＣＬＣモードである、請求項１１に記載の方法。
【請求項１４】
前記ＣＬＣ情報は、ＣＬＣアクティブ周期およびＣＬＣアクティブ区間の情報を含む、請求項１１に記載の方法。
【請求項１５】
前記第１のＢＳは、前記ＭＳのハンドオーバーに対する新しいサービングＢＳであり、前記第２のＢＳは、前記ＭＳが前記ＣＬＣモードに進入する場合に、以前のサービングＢＳである、請求項１１に記載の方法。
【請求項１６】
Ｃｏ−Ｌｏｃａｔｅｄ  Ｃｏｅｘｉｓｔｅｎｃｅ（ＣＬＣ）モードをサポートする移動局（ＭＳ）であって、
前記ＣＬＣモードに関連するメッセージの送信を制御する送信モジュールと、
前記ＣＬＣモードに関連するメッセージの受信を制御する受信モジュールと、
前記ＣＬＣモードに関連するパラメータと情報要素とを格納するメモリーと、
プロセッサと
を備え、
前記プロセッサは、
前記ＣＬＣモードにおいて、ハンドオーバープロセスを始めるために、ハンドオーバー要請メッセージをサービング基地局（ＳＢＳ）に送信することと、
前記ＳＢＳから、前記ハンドオーバー要請メッセージを承認するハンドオーバー命令メッセージを受信することと、
ハンドオーバー後のネットワーク再進入においてレンジング要請メッセージをターゲット基地局（ＴＢＳ）に送信することと、
前記ＴＢＳから、前記ＴＢＳによって設定されたＣＬＣ開始時間情報を含むレンジング応答メッセージを受信することと
によって前記ＣＬＣモードに関連する動作を制御する、移動局。
【請求項１７】
前記ＣＬＣ開始時間情報は、ＣＬＣ開始時間を指示し、
前記ＣＬＣ開始時間情報は、前記ＣＬＣ開始時間のスーパーフレーム番号を指示するスーパーフレーム番号（ＳＦＮ）フィールドと、前記ＣＬＣ開始時間のフレームインデックスを指示する開始フレームインデックス（ＳＦＩ）フィールドとを含む、請求項１６に記載の移動局。
【請求項１８】
前記レンジング応答メッセージは、前記ＣＬＣモードのクラスを識別するＣＬＣ識別子をさらに含む、請求項１７に記載の移動局。
【請求項１９】
前記ＣＬＣモードは、タイプＩ  ＣＬＣモードまたはタイプＩＩ  ＣＬＣモードである、請求項１６に記載の移動局。
【請求項２０】
前記ＣＬＣ開始時間情報は、バックボーンネットワークを通じて前記ＳＢＳから獲得されたＣＬＣ情報に基づいて、前記ＴＢＳによって設定され、
前記ＣＬＣ情報は、ＣＬＣアクティブ周期およびＣＬＣアクティブ区間を含む、請求項１６に記載の移動局。
【発明の詳細な説明】
【技術分野】
【０００１】
本発明は、無線接続システムに関するものである。本発明は、一つ以上の無線接続システムが共存する場合に、各システム間の干渉を減らすための方法及び装置を開示する。
【背景技術】
【０００２】
以下、無線接続システムで用いられる一般のフレーム構造について説明する。
【０００３】
図１は、広帯域無線接続システム（例えば、ＩＥＥＥ  ８０２．１６ｅ）で用いられるフレーム構造を示す図である。
【０００４】
図１を参照すると、フレームの横軸は時間単位であり、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボルを示し、フレームの縦軸は、周波数単位であり、サブチャネルの論理的番号を示す。図１で、一つのフレームは、物理的な特性によって一定時間周期間のデータシーケンスチャネルに分けられる。すなわち、一つのフレームは、一つのダウンリンクサブフレーム（ＤｏｗｎＬｉｎｋ  Ｓｕｂｆｒａｍｅ）と一つのアップリンクサブフレーム（ＵｐＬｉｎｋ  Ｓｕｂｆｒａｍｅ）とで構成される。
【０００５】
ここで、ダウンリンクサブフレームは、一つのプリアンブル（ｐｒｅａｍｂｌｅ）、フレーム制御ヘッダー（ＦＣＨ：Ｆｒａｍｅ  Ｃｏｎｔｒｏｌ  Ｈｅａｄｅｒ）、ダウンリンクマップ（ＤＬ−ＭＡＰ）、アップリンクマップ（ＵＬ−ＭＡＰ）、及び一つ以上のデータバースト（ｄａｔａ  ｂｕｒｓｔ）で構成されてよい。また、アップリンクサブフレームは、一つ以上のアップリンクデータバースト及びレンジングサブチャネル（ｒａｎｇｉｎｇ  ｓｕｂｃｈａｎｎｅｌ）で構成されてよい。
【０００６】
図１で、プリアンブルは、毎フレームの最初のシンボルに位置する特定シーケンスデータで、端末が基地局に同期を合わせたりチャネルを推定したりするために用いられる。ＦＣＨは、ＤＬ−ＭＡＰに関連するチャネル割当情報及びチャネル符号に関する情報を提供するために用いられる。ＤＬ−ＭＡＰ及びＵＬ−ＭＡＰは、ダウンリンク及びアップリンクでチャネルリソース割当を端末に知らせるために用いられる媒体接近制御（ＭＡＣ：Ｍｅｄｉｕｍ  Ａｃｃｅｓｓ  Ｃｏｎｔｒｏｌ）メッセージである。また、データバーストは、基地局から端末に伝送する、または、端末から基地局に伝送するためのデータの単位を表す。
【０００７】
図１で使用可能なダウンリンクチャネルディスクリプタ（ＤＣＤ：Ｄｏｗｎｌｉｎｋ  Ｃｈａｎｎｅｌ  Ｄｅｓｃｒｉｐｔｏｒ）は、ダウンリンクチャネルの物理的特性を知らせるためのＭＡＣメッセージを意味し、アップリンクチャネルディスクリプタ（ＵＣＤ：Ｕｐｌｉｎｋ  Ｃｈａｎｎｅｌ  Ｄｅｓｃｒｉｐｔｏｒ）は、アップリンクチャネルの物理的特性を知らせるためのＭＡＣメッセージを意味する。
【０００８】
ダウンリンクでは、図１を参照すると、端末は、基地局から伝送されたプリアンブルを検出して基地局との同期を合わせる。次に、ＦＣＨから獲得した情報を用いてダウンリンクマップをデコーディング（ｄｅｃｏｄｉｎｇ）することができる。基地局は、ダウンリンクまたはアップリンクマップ（ＤＬ−ＭＡＰ／ＵＬ−ＭＡＰ）メッセージを用いてダウンリンクまたはアップリンクリソース割当のためのスケジューリング情報を毎フレーム（例えば、５ｍｓ）ごとに端末に伝送することができる。
【発明の概要】
【発明が解決しようとする課題】
【０００９】
本発明は、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄシステムの一つであるＩＥＥＥ  ８０２．１６ｍシステム（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ８０２．１６ｍ；以下、‘１６ｍシステム’という。）とｎｏｎ−ＩＥＥＥ  ８０２．１６システム（例えば、Ｗｉ−Ｆｉ無線ネットワークシステム、８０２．１１、８０２．１５．１など）が混在しているネットワーク状況で適用することが可能である。
【００１０】
図２は、ＩＥＥＥ  ８０２．１６ｍシステムで使用可能なフレーム構造の一つを示す図である。
【００１１】
図２を参照すると、一つのスーパーフレーム（Ｓｕｐｅｒ−Ｆｒａｍｅ）は、２０ｍｓの長さを有することができる。一つのスーパーフレームは、５ｍｓ長の４個のフレームで構成され、一つのフレームは８個のサブフレーム（Ｓｕｂ−Ｆｒａｍｅ）で構成されてよい。各サブフレームを、アップリンク（ＵＬ：ＵｐＬｉｎｋ）及びダウンリンク（ＤＬ：ＤｏｗｎＬｉｎｋ）伝送のために割り当てることができる。
【００１２】
一つのサブフレームは６個のＯＦＤＭＡシンボルで構成でき、一つのシンボルは６１７ｕｓの大きさを有することができる。スーパーフレームヘッダー（ＳＦＨ：ＳｕｐｅｒＦｒａｍｅ  Ｈｅａｄｅｒ）は毎２０ｍｓごとに伝送され、ＳＦＨは、プライマリ放送チャネル（Ｐ−ＢＣＨ：Ｐｒｉｍａｒｙ  Ｂｒｏａｄｃａｓｔ  Ｃｈａｎｎｅｌ）及びセカンダリ放送チャネル（Ｓ−ＢＣＨ：Ｓｅｃｏｎｄａｒｙ  Ｂｒｏａｄｃａｓｔ  Ｃｈａｎｎｅｌ）で構成できる。
【００１３】
セカンダリ放送チャネル（Ｓ−ＢＣＨ）を介しては、各基地局のセルに特定の（ｃｅｌｌ−ｓｐｅｃｉｆｉｃ）システム情報（ｓｙｓｔｅｍ  ｉｎｆｏｒｍａｔｉｏｎ）を伝送でき、全体ネットワークで共通に用いられるシステム情報は、プライマリ放送チャネル（Ｐ−ＢＣＨ）を介して伝送できる。
【００１４】
図２では、５：３の割合でダウンリンクサブフレーム及びアップリンクサブフレームが割り当てられる場合を示す。５：３の比率のフレーム構造に関する細部のパラメータ値は、図２を参照すればよい。ただし、本発明の実施例においてダウンリンクサブフレーム及びアップリンクサブフレームの割当比率は５：３に限定されるものではなく、各システム状況またはユーザの要求事項に応じて、例えば、２：６、４：４または６：２の構造などと様々に変形して用いてもよい。
【００１５】
図３は、ＣＬＣモード（Ｃｏ−Ｌｏｃａｔｅｄ  Ｃｏｅｘｉｓｔｅｎｃｅ  ｍｏｄｅ）環境においてＷｉ−Ｆｉシステムと１６ｍシステムとが共存する場合における周波数スペクトラムを示す図である。
【００１６】
図３を参照すると、無線通信に用いられる周波数帯域は、２．３０ＧＨｚ〜２．６９ＧＨｚである。ここで、ブルトゥース（ＢＴ：Ｂｌｕｅｔｏｏｔｈ）及びＷｉ−Ｆｉシステムが用いる周波数帯域は、２．４ＧＨｚ〜２．４８４ＧＨｚであり、１６ｍシステムが用いる周波数帯域は、２．５０ＧＨｚ〜２．６９ＧＨｚである。すなわち、ＢＴ及びＷｉ−Ｆｉシステムの周波数帯域と１６ｍシステムの周波数帯域とは隣接しており、単に１６ＭＨｚ程度のずれしか有しない。
【００１７】
したがって、移動端末内に設けられている様々な無線技術を独立してまたは同時に使用する場合、深刻な干渉現象を誘発する恐れがある。例えば、１６ｍシステムとＢＴ／Ｗｉ−Ｆｉシステムは独立して作動するので、移動端末が１６ｍシステムからデータを受信する場合、ＢＴデータパケットの送信は遮断されなければならない。
【００１８】
この問題点を解消するために、現在用いられているＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）システム（すなわち、ＩＥＥＥ  ８０２．１６ｅ）では、移動端末が、電力消耗防止のために考案された電力消耗防止クラス（ＰＳＣ：Ｐｏｗｅｒ  Ｓａｖｉｎｇ  Ｃｌａｓｓ）を用いる。例えば、移動端末は、睡眠区間（ｓｌｅｅｐ  ｉｎｔｅｒｖａｌ）ではＢＴネットワークと通信を試み、聴取区間（ｌｉｓｔｅｎｉｎｇ  ｉｎｔｅｒｖａｌ）ではＷｉＭＡＸネットワークと通信を行うことで、各システム間の干渉現象を最小限に抑えている。
【００１９】
しかしながら、１６ｍシステムで用いるフレーム構造（図２参照）は、１６ｅシステムで用いるフレーム構造（図１参照）と格段に異なっている。したがって、１６ｅシステムのフレーム構造で用いられるＰＳＣ方式を１６ｍシステムのフレーム構造にそのまま適用するには無理がある。
【００２０】
現在用いられる無線接続システムでは、ＣＬＣモードで動作している移動端末が、ＳＦＨ受信時点とＣＬＣ動作区間（ＣＬＣ  Ａｃｔｉｖｅ  Ｉｎｔｅｒｖａｌ）が始まる時点とが重複（ｏｖｅｒｌａｐ）する場合を考慮していない。
【００２１】
ただし、１６ｅシステムと違い、１６ｍシステムで伝送されるマップ（ＭＡＰ）メッセージの伝送位置は変更可能であり、１６ｍシステムでは、現在フレーム内のＭＡＰを用いてアップリンク及びダウンリンクの両方を指示できるため、データ伝送遅延を減らすことができる。したがって、１６ｍシステムは、ＭＡＰメッセージの伝送をスケジューリングするスーパーフレームヘッダー（ＳＦＨ）とＣＬＣモードの動作周期が重なる場合における解決方法が求められる。
【００２２】
また、１６ｍシステムでは、ＣＬＣモードの移動端末がハンドオーバー後にもＣＬＣモードが維持される場合、ＣＬＣモードが開始される過程を明確に定義していない。
【００２３】
また、ＣＬＣモードで動作している移動端末が、ＣＬＣパラメータを変更しようとする場合には、ＣＬＣ−ＲＥＱメッセージ及びＣＬＣ−ＲＳＰメッセージを交換することが一般的であったが、これは、シグナリングオーバーヘッドにつながることがあった。
【００２４】
本発明は、上記の一般的な技術における問題点を解決するために案出されたもので、その目的は、移動端末及び基地局で効率的にＣＬＣモード動作を行う方法を提供することにある。
【００２５】
本発明の他の目的は、Ｗｉ−Ｆｉシステム及び１６ｍシステムインターフェースを有する移動端末が、両システムを混用して通信を行う場合、各システム間の干渉を減らすための様々な方法及び装置を提供することにある。
【００２６】
本発明のさらに他の目的は、移動端末が、各システム間の通信可能区間を区分して割り当てて動作するＣＬＣモードにある時、移動端末がハンドオーバーを行う場合、ＣＬＣモードを保持しながら效率的にサービスを受けることができる様々な方法を提供することにある。
【００２７】
本発明のさらに他の目的は、ＣＬＣモードの開始がシステム情報を伝達するスーパーフレームヘッダー（ＳＦＨ）と重ならないように制御する方法及び装置を提供することにある。
【００２８】
本発明で達成しようとする技術的目的は、以上に言及した事項に制限されず、言及していない他の技術的課題は、以下に説明する本発明の実施例から、本発明の属する技術の分野における通常の知識を有する者には明確に導出及び理解できるであろう。
【課題を解決するための手段】
【００２９】
上記の技術的課題を解決するために、本発明は、一つ以上の無線接続システムが共存する場合に各システム間の干渉を減らすための様々な方法及び装置を開示する。
【００３０】
本発明の一様態であって、ＣＬＣ（Ｃｏ−Ｌｏｃａｔｅｄ  Ｃｏｅｘｉｓｔｅｎｃｅ）モードを支援する方法は、ＣＬＣモードの移動端末が、ハンドオーバー手順の開始のために、ハンドオーバー要請（ＡＡＩ＿ＨＯ−ＲＥＱ）メッセージを第１の基地局に伝送する段階と、第１の基地局（例えば、サービング基地局）からハンドオーバー要請メッセージを確認するハンドオーバー命令（ＡＡＩ＿ＨＯ−ＣＭＤ）メッセージを受信する段階と、移動端末がハンドオーバー後にネットワーク再進入時にレンジング要請（ＡＡＩ＿ＲＮＧ−ＲＥＱ）メッセージを第２の基地局（例えば、ターゲット基地局）に伝送する段階と、第２の基地局で設定されたＣＬＣ開始時間情報を含むレンジング応答（ＡＡＩ＿ＲＮＧ−ＲＳＰ）メッセージを、第２の基地局から受信する段階と、を含むことができる。
【００３１】
前記方法は、ハンドオーバー指示メッセージを伝送した後にＣＬＣモードを中止する段階と、移動端末が第２の基地局のネットワークに進入した後にＣＬＣモードを再開する（ｒｅａｃｔｉｖａｔｉｎｇ）段階をさらに含むことができる。
【００３２】
また、前記方法は、ハンドオーバー命令メッセージにより指示された解除時間でＣＬＣモードを中止する段階と、移動端末が第２の基地局のネットワークに進入した後にＣＬＣモードを再開する段階と、をさらに含むことができる。
【００３３】
本発明の他の様態であって、第１の基地局（ＢＳ）でＣＬＣ（Ｃｏ−Ｌｏｃａｔｅｄ  Ｃｏｅｘｉｓｔｅｎｃｅ）モードを支援する方法は、ＣＬＣモードの移動端末が、ハンドオーバー準備過程を行う間に、バックボーンネットワークを通じて第２の基地局から移動端末に対するＣＬＣ情報を獲得する段階と、移動端末からレンジング要請メッセージを受信する段階と、第１の基地局でＣＬＣ情報に基づいて設定されたＣＬＣ開始時間情報を含むレンジング応答メッセージを移動端末に伝送する段階と、を含むことができる。
【００３４】
本発明のさらに他の様態であって、ＣＬＣ（Ｃｏ−Ｌｏｃａｔｅｄ  Ｃｏｅｘｉｓｔｅｎｃｅ）モードを支援する移動端末は、ＣＬＣモードと関連した第１メッセージの送信を制御する送信モジュールと、ＣＬＣモードと関連した第２メッセージの受信を制御する受信モジュールと、ＣＬＣモードと関連したパラメータ及び情報要素を保存するメモリーと、ＣＬＣモードと関連した動作を制御するプロセッサと、を備えることができる。
【００３５】
ここで、前記プロセッサは、ＣＬＣモードの移動端末が、ハンドオーバー手順の開始のために、ハンドオーバー要請メッセージをサービング基地局（ＳＢＳ）に伝送する段階と、サービング基地局からハンドオーバー要請メッセージを確認するハンドオーバー命令メッセージを受信する段階と、移動端末がハンドオーバー後にネットワーク再進入時にレンジング要請メッセージをターゲット基地局（ＴＢＳ）に伝送する段階と、第２の基地局で設定されたＣＬＣ開始時間情報を含むレンジング応答メッセージを第２の基地局から受信する段階と、を制御することができる。
【００３６】
前記ＣＬＣ開始時間情報は、ＣＬＣ開始時間に対するスーパーフレーム番号（ＳＦＮ）を指示することができる。ここで、ＣＬＣ開始時間情報は、ＣＬＣモードのクラスを識別するＣＬＣ識別子及びＣＬＣ開始時間のフレームインデックスを指示する開始フレームインデックス（ＳＦＩ）をさらに含むことができる。
【００３７】
前記ＣＬＣ開始時間情報は、バックボーンネットワークを通じて前記第１の基地局から獲得したＣＬＣ情報に基づき、前記第２の基地局により設定されてよい。
【００３８】
前記ＣＬＣ情報は、ＣＬＣ活性周期（ＣＬＣ  ａｃｔｉｖｅ  ｃｙｃｌｅ）、ＣＬＣ活性区間（ＣＬＣ  ａｃｔｉｖｅ  ｉｎｔｅｒｖａｌ）を含むことができる。
【００３９】
前記第１の基地局は、前記ＭＳがＣＬＣモードに進入する時のサービング基地局であり、第２の基地局は、ＭＳがハンドオーバーするためのターゲット基地局でよい。
【００４０】
前記ＭＳのＣＬＣモードは、タイプＩ  ＣＬＣモードまたはタイプＩＩ  ＣＬＣモードのいずれかでよい。
【００４１】
上記の内容及び以下に詳細に説明する本発明は、例示的なものに過ぎず、請求された本発明のさらなる例示を提供するためのものと理解できる。
【発明の効果】
【００４２】
本発明の実施例によれば、下記のような効果が得られる。
【００４３】
第一、移動端末及び基地局は、效率的にＣＬＣモード動作を行うことができる。
【００４４】
第二、Ｗｉ−Ｆｉシステム及び１６ｍシステムのインターフェースを持つ移動端末は、本発明の実施例で開示された方法を用いることによって、各システム間の干渉を低減できる。
【００４５】
第三、ＣＬＣモードの移動端末がハンドオーバーを行う場合、ターゲット基地局で現在のＣＬＣモードを維持または調整することによって、效率的にサービスを受けることができる。
【００４６】
第四、ＣＬＣモードの開始がシステム情報を伝達するスーパーフレームヘッダー（ＳＦＨ：ＳｕｐｅｒＦｒａｍｅ  Ｈｅａｄｅｒ）と重ならないように制御することによって、移動端末及び基地局は、ＣＬＣモードを效率的に行うことができ、移動端末はシステム情報を安定して獲得できる。
【００４７】
第五、本発明は、ＣＬＣモードで動作する移動端末がハンドオーバーを行う場合、ＣＬＣ情報を候補基地局（すなわち、ターゲット基地局）と共有できるようにし、ターゲット基地局は、ＣＬＣ開始時間情報（開始フレームインデックス、スーパーフレーム番号など）をハンドオーバーした移動端末に速かに伝達でき、ＣＬＣモードの再開が容易且つ迅速となる。
【００４８】
第六、ＳＦＨ受信とＣＬＣ活動区間の開始フレームとが重複する場合、ＣＬＣ活動区間を基地局が再スケジューリング（ｒｅｓｃｈｅｄｕｌｉｎｇ）することで、１６ｍデータ通信を保障することができる。
本発明は、例えば以下の項目を提供する。
（項目１）
ＣＬＣ（Ｃｏ−Ｌｏｃａｔｅｄ  Ｃｏｅｘｉｓｔｅｎｃｅ）モードを支援する方法であって、
前記ＣＬＣモードの移動端末が、ハンドオーバー手順の開始のために、ハンドオーバー要請メッセージを第１の基地局に伝送し、
前記第１の基地局から、前記ハンドオーバー要請メッセージを確認するハンドオーバー命令メッセージを受信し、
前記移動端末がハンドオーバー後にネットワーク再進入時にレンジング要請メッセージを第２の基地局に伝送し、
前記第２基地局で設定されたＣＬＣ開始時間情報を含むレンジング応答メッセージを、前記第２の基地局から受信すること、
を含む、ＣＬＣモード支援方法。
（項目２）
前記ＣＬＣ開始時間情報は、ＣＬＣ開始時間のスーパーフレーム番号（ＳＦＮ）を指示することを特徴とする、項目１に記載のＣＬＣモード支援方法。
（項目３）
前記ＣＬＣ開始時間情報は、前記ＣＬＣモードのクラスを識別するＣＬＣ識別子及び前記ＣＬＣ開始時間のフレームインデックスを指示する開始フレームインデックス（ＳＦＩ）をさらに含む、項目２に記載のＣＬＣモード支援方法。
（項目４）
前記ＣＬＣモードは、タイプＩ  ＣＬＣモードまたはタイプＩＩ  ＣＬＣモードのいずれかである、項目３に記載のＣＬＣモード支援方法。
（項目５）
前記ＣＬＣ開始時間情報は、バックボーンネットワークを通じて前記第１の基地局から獲得したＣＬＣ情報に基づき、前記第２の基地局により設定される、項目３に記載のＣＬＣモード支援方法。
（項目６）
前記ＣＬＣ情報は、ＣＬＣ活性周期（ＣＬＣ  ａｃｔｉｖｅ  ｃｙｃｌｅ）、ＣＬＣ活性区間（ＣＬＣ  ａｃｔｉｖｅ  ｉｎｔｅｒｖａｌ）を含む、項目５に記載のＣＬＣモード支援方法。
（項目７）
前記第１の基地局は、前記移動端末が前記ＣＬＣモードに進入する当時のサービング基地局であり、
前記第２の基地局は、前記移動端末のハンドオーバー目的基地局であるターゲット基地局である、項目３に記載のＣＬＣモード支援方法。
（項目８）
ハンドオーバー指示メッセージを伝送した後に前記ＣＬＣモードを中止し、
前記移動端末が前記第２の基地局のネットワークに進入した後に、前記ＣＬＣモードを再開する（ｒｅａｃｔｉｖａｔｉｎｇ）こと
をさらに含む、項目３に記載のＣＬＣモード支援方法。
（項目９）
前記ハンドオーバー命令メッセージにより指示された解除時間で前記ＣＬＣモードを中止し、
前記移動端末が前記第２の基地局のネットワークに進入した後に、前記ＣＬＣモードを再開すること
をさらに含む、項目３に記載のＣＬＣモード支援方法。
（項目１０）
第１の基地局（ＢＳ）でＣＬＣ（Ｃｏ−Ｌｏｃａｔｅｄ  Ｃｏｅｘｉｓｔｅｎｃｅ）モードを支援する方法であって、
移動端末がハンドオーバー準備過程を行う間に、バックボーンネットワークを通じて第２の基地局から前記移動端末に対するＣＬＣ情報を獲得し、
前記移動端末からレンジング要請メッセージを受信し、
前記第１の基地局で前記ＣＬＣ情報に基づいて設定されたＣＬＣ開始時間情報を含むレンジング応答メッセージを前記移動端末に伝送すること、
を含み、
前記移動端末はＣＬＣモードにある、ＣＬＣモード支援方法。
（項目１１）
前記ＣＬＣ開始時間情報は、前記ＣＬＣ開始時間に対するスーパーフレーム番号（ＳＦＮ）を含む、項目１０に記載のＣＬＣモード支援方法。
（項目１２）
前記ＣＬＣ開始時間情報は、前記ＣＬＣモードのクラスを識別するＣＬＣ識別子及び前記ＣＬＣ開始時間のフレームインデックスを指示する開始フレームインデックス（ＳＦＩ）を含む、項目１１に記載のＣＬＣモード支援方法。
（項目１３）
前記ＣＬＣモードは、タイプＩ  ＣＬＣモードまたはタイプＩＩ  ＣＬＣモードのいずれかである、項目１１に記載のＣＬＣモード支援方法。
（項目１４）
前記ＣＬＣ情報は、ＣＬＣ活性周期及びＣＬＣ活性区間を含む、項目１１に記載のＣＬＣモード支援方法。
（項目１５）
前記第１の基地局は、前記移動端末がハンドオーバーする新しいサービング基地局であり、前記第２の基地局は、前記移動端末が前記ＣＬＣモードに進入する時の以前サービング基地局である、項目１１に記載のＣＬＣモード支援方法。
（項目１６）
ＣＬＣ（Ｃｏ−Ｌｏｃａｔｅｄ  Ｃｏｅｘｉｓｔｅｎｃｅ）モードを支援する移動端末であって、
前記ＣＬＣモードと関連した第１メッセージの送信を制御する送信モジュールと、
前記ＣＬＣモードと関連した第２メッセージの受信を制御する受信モジュールと、
前記ＣＬＣモードと関連したパラメータ及び情報要素を保存するメモリーと、
前記ＣＬＣモードと関連した動作を制御するプロセッサと、
を備え、
前記プロセッサは、
前記ＣＬＣモードの移動端末がハンドオーバー手順の開始のためにハンドオーバー要請メッセージを第１の基地局に伝送し、
前記第１の基地局から前記ハンドオーバー要請メッセージを確認するハンドオーバー命令メッセージを受信し、
前記移動端末がハンドオーバーの後にネットワーク再進入時にレンジング要請メッセージを第２の基地局に伝送し、
前記第２の基地局で設定されたＣＬＣ開始時間情報を含むレンジング応答メッセージを前記第２の基地局から受信すること、を制御することを特徴とする、移動端末。
（項目１７）
前記ＣＬＣ開始時間情報は、ＣＬＣ開始時間に対するスーパーフレーム番号（ＳＦＮ）を指示する、項目１６に記載の移動端末。
（項目１８）
前記ＣＬＣ開始時間情報は、前記ＣＬＣモードのクラスを識別するＣＬＣ識別子及び前記ＣＬＣ開始時間のフレームインデックスを指示する開始フレームインデックス（ＳＦＩ）をさらに含む、項目１７に記載の移動端末。
（項目１９）
前記ＣＬＣモードは、タイプＩ  ＣＬＣモードまたはタイプＩＩ  ＣＬＣモードのいずれかである、項目１６に記載の移動端末。
（項目２０）
前記ＣＬＣ開始時間情報は、バックボーンネットワークを通じて前記第１の基地局から獲得したＣＬＣ情報に基づき、前記第２の基地局で設定される、項目１６に記載の移動端末。
【００４９】
本発明の実施例から得られる効果は、以上に言及した効果に制限されず、言及していない他の効果は、以下の本発明の実施例についての記載から、本発明の属する技術の分野における通常の知識を有する者には明確に導出及び理解できるであろう。
【図面の簡単な説明】
【００５０】
【図１】広帯域無線接続システム（例えば、ＩＥＥＥ  ８０２．１６ｅ）で用いられるフレーム構造を示す図である。
【図２】ＩＥＥＥ  ８０２．１６ｍシステムで利用可能なフレーム構造の一つを示す図である。
【図３】ＣＬＣモード（Ｃｏ−Ｌｏｃａｔｅｄ  Ｃｏｅｘｉｓｔｅｎｃｅ  ｍｏｄｅ）環境でＷｉ−Ｆｉシステムと１６ｍシステムとが共存する場合における周波数スペクトラムを示す図である。
【図４】本発明の実施例で利用可能なＣＬＣモード交渉手順の一例を示す図である。
【図５】本発明の一実施例であって、ＣＬＣ活動区間を再調整する方法を示す図である。
【図６】本発明の一実施例であって、１６ｍフレーム上でＣＬＣ活動区間を調整する方法を示す図である。
【図７】本発明の他の実施例であって、ハンドオーバー時にネットワーク再進入過程においてＣＬＣモードを交渉する第一の方法を示す図である。
【図８】本発明の他の実施例であって、ハンドオーバー時にネットワーク再進入過程においてＣＬＣモードを交渉する第二の方法を示す図である。
【図９】本発明の他の実施例であって、ハンドオーバー時にネットワーク再進入過程においてＣＬＣモードを交渉する第三の方法を示す図である。
【図１０】本発明の他の実施例であって、ハンドオーバー時にネットワーク再進入過程においてＣＬＣモードを交渉する第四の方法を示す図である。
【図１１】本発明のさらに他の実施例であって、ＣＬＣ情報変更を行う方法の一つを示す図である。
【図１２】本発明のさらに他の実施例であって、図２乃至図１１で説明した本発明の実施例を実行できる移動端末及び基地局を示す図である。
【発明を実施するための形態】
【００５１】
本発明の実施例は、一つ以上の無線接続システムが共存する場合に、各システム間の干渉を減らすための様々な方法及び装置を開示する。
【００５２】
下記の実施例は、本発明の構成要素及び特徴を所定の形態に結合したものである。各構成要素または特徴は、別の明示的な言及がない限り、選択的なものとして考慮すればよい。各構成要素または特徴は、他の構成要素や特徴と結合しない形態で実施することもできる。また、一部の構成要素及び／または特徴を結合して本発明の実施例を構成することもできる。本発明の実施例で説明される動作の順序は変更可能である。ある実施例の一部構成や特徴は、他の実施例に含まれることもでき、他の実施例の対応する構成または特徴に取って代わることもできる。
【００５３】
図面についての説明において、本発明の要旨を曖昧にする手順または段階などは記述しない他、当業者のレベルで理解できるような手順または段階についても説明を省略するものとする。
【００５４】
本明細書において、本発明の実施例は、基地局と移動局間のデータ送受信関係を中心に説明された。ここで、基地局は、移動局と直接的に通信を行うネットワークの終端ノード（ｔｅｒｍｉｎａｌ  ｎｏｄｅ）の意味を有する。本文書で、基地局により行われるとした特定動作は、場合によっては、基地局の上位ノード（ｕｐｐｅｒ  ｎｏｄｅ）により行われてもよい。
【００５５】
すなわち、基地局を含む多数のネットワークノード（ｎｅｔｗｏｒｋ  ｎｏｄｅｓ）からなるネットワークにおいて移動局との通信のために行われる種々の動作は、基地局または基地局以外の別のネットワークノードで行うことができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（Ａｄｖａｎｃｅｄ  Ｂａｓｅ  Ｓｔａｔｉｏｎ）、またはアクセスポイント（Ａｃｃｅｓｓ  Ｐｏｉｎｔ）などの用語に代替可能である。
【００５６】
また、‘移動局（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（ＡＭＳ：Ａｄｖａｎｃｅｄ  Ｍｏｂｉｌｅ  Ｓｔａｔｉｏｎ）または端末（Ｔｅｒｍｉｎａｌ）などの用語に代替可能である。
【００５７】
また、送信端は、データサービスまたは音声サービスを提供する固定及び／または移動ノードを意味し、受信端は、データサービスまたは音声サービスを受信する固定及び／または移動ノードを意味する。したがって、アップリンクでは、移動局が送信端となり、基地局が受信端となればよい。同様に、ダウンリンクでは、移動局が受信端となり、基地局が送信端となればよい。
【００５８】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示された標準文書によりサポートされてよい。すなわち、本発明の実施例において、技術的思想を明確にするために説明を省略した段階または部分は、上記の文書によりサポートされてよい。
【００５９】
また、本文書で開示している用語はいずれも上記の標準文書により説明できる。特に、本発明の実施例は、ＩＥＥＥ  ８０２．１６システムの標準文書であるＰ８０２．１６ｅ−２００４、Ｐ８０２．１６ｅ−２００５及びＰ８０２．１６Ｒｅｖ２及びＰ８０２．１６ｍ標準文書の一つ以上によりサポートされればよい。
【００６０】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を示すものではない。
【００６１】
また、本発明の実施例で使われる特定用語は、本発明の理解を助けるために提供されたもので、このような特定用語の使用は、本発明の技術的思想を逸脱しない範囲で他の形態に変更可能である。
【００６２】
本発明は、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄシステムの一つであるＩＥＥＥ  ８０２．１６ｍシステム（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ８０２．１６ｍ；以下、‘１６ｍシステム’という。）とｎｏｎ−ＩＥＥＥ  ８０２．１６システム（例えば、Ｗｉ−Ｆｉ無線ネットワークシステム、８０２．１１、８０２．１５．１など）が混在しているネットワーク状況で適用することが可能である。
【００６３】
図２は、ＩＥＥＥ  ８０２．１６ｍシステムで使用可能なフレーム構造の一つを示す図である。
【００６４】
図２を参照すると、一つのスーパーフレーム（Ｓｕｐｅｒ−Ｆｒａｍｅ）は、２０ｍｓの長さを有することができる。一つのスーパーフレームは、５ｍｓ長の４個のフレームで構成され、一つのフレームは８個のサブフレーム（Ｓｕｂ−Ｆｒａｍｅ）で構成されてよい。各サブフレームを、アップリンク（ＵＬ：ＵｐＬｉｎｋ）及びダウンリンク（ＤＬ：ＤｏｗｎＬｉｎｋ）伝送のために割り当てることができる。
【００６５】
一つのサブフレームは６個のＯＦＤＭＡシンボルで構成でき、一つのシンボルは６１７ｕｓの大きさを有することができる。スーパーフレームヘッダー（ＳＦＨ：ＳｕｐｅｒＦｒａｍｅ  Ｈｅａｄｅｒ）は毎２０ｍｓごとに伝送され、ＳＦＨは、プライマリ放送チャネル（Ｐ−ＢＣＨ：Ｐｒｉｍａｒｙ  Ｂｒｏａｄｃａｓｔ  Ｃｈａｎｎｅｌ）及びセカンダリ放送チャネル（Ｓ−ＢＣＨ：Ｓｅｃｏｎｄａｒｙ  Ｂｒｏａｄｃａｓｔ  Ｃｈａｎｎｅｌ）で構成できる。
セカンダリ放送チャネル（Ｓ−ＢＣＨ）を介しては、各基地局のセルに特定の（ｃｅｌｌ−ｓｐｅｃｉｆｉｃ）システム情報（ｓｙｓｔｅｍ  ｉｎｆｏｒｍａｔｉｏｎ）を伝送でき、全体ネットワークで共通に用いられるシステム情報は、プライマリ放送チャネル（Ｐ−ＢＣＨ）を介して伝送できる。
【００６６】
図２では、５：３の割合でダウンリンクサブフレーム及びアップリンクサブフレームが割り当てられる場合を示す。５：３の比率のフレーム構造に関する細部のパラメータ値は、図２を参照すればよい。ただし、本発明の実施例においてダウンリンクサブフレーム及びアップリンクサブフレームの割当比率は５：３に限定されるものではなく、各システム状況またはユーザの要求事項に応じて、例えば、２：６、４：４または６：２の構造などと様々に変形して用いてもよい。
【００６７】
図３は、ＣＬＣモード（Ｃｏ−Ｌｏｃａｔｅｄ  Ｃｏｅｘｉｓｔｅｎｃｅ  ｍｏｄｅ）環境においてＷｉ−Ｆｉシステムと１６ｍシステムとが共存する場合における周波数スペクトラムを示す図である。
【００６８】
図３を参照すると、無線通信に用いられる周波数帯域は、２．３０ＧＨｚ〜２．６９ＧＨｚである。ここで、ブルトゥース（ＢＴ：Ｂｌｕｅｔｏｏｔｈ）及びＷｉ−Ｆｉシステムが用いる周波数帯域は、２．４ＧＨｚ〜２．４８４ＧＨｚであり、１６ｍシステムが用いる周波数帯域は、２．５０ＧＨｚ〜２．６９ＧＨｚである。すなわち、ＢＴ及びＷｉ−Ｆｉシステムの周波数帯域と１６ｍシステムの周波数帯域とは隣接しており、単に１６ＭＨｚ程度のずれしか有しない。
【００６９】
したがって、移動端末内に設けられている様々な無線技術を独立してまたは同時に使用する場合、深刻な干渉現象を誘発する恐れがある。例えば、１６ｍシステムとＢＴ／Ｗｉ−Ｆｉシステムは独立して作動するので、移動端末が１６ｍシステムからデータを受信する場合、ＢＴデータパケットの送信は遮断されなければならない。
【００７０】
ＣＬＣモード交渉手順
図４は、本発明の実施例で使用可能なＣＬＣモード交渉手順の一例を示す図である。
【００７１】
本発明の実施例で使用可能なＣＬＣモードは、３種類のクラス（Ｃｌａｓｓ）に分類できる。それぞれのクラスは、ＣＬＣ開始時間（ＣＬＣ  ｓｔａｒｔ  ｔｉｍｅ）、ＣＬＣ活動周期（Ａｃｔｉｖｅ  Ｃｙｃｌｅ）及び／またはＣＬＣ活動区間（Ａｃｔｉｖｅ  Ｉｎｔｅｒｖａｌ）によって分類することができる。下記の表１は、ＣＬＣクラスタイプを示したものである。
【００７２】
【表１】
0005442109.tif 000002
表１を参照すると、ＣＬＣクラスタイプは、ＣＬＣ因子によって区別することができる。ＣＬＣ因子は、ＣＬＣ開始時間（ＣＬＣ  ｓｔａｒｔ  ｔｉｍｅ）、ＣＬＣ活動周期（Ａｃｔｉｖｅ  Ｃｙｃｌｅ）及びＣＬＣ活動区間（Ａｃｔｉｖｅ  Ｉｎｔｅｒｖａｌ）を含むことができる。ＣＬＣ開始時間は、各ＣＬＣクラスが始まる時間を表し、ＣＬＣ活動周期は、ＣＬＣクラスが繰り返される活性パターンの時間間隔を表し、ＣＬＣ活動区間は、非−８０２．１６無線共存動作のために設定されたＣＬＣクラスの時間区間を表す。
【００７３】
移動端末（ＡＭＳ：Ａｄｖａｎｃｅｄ  Ｍｏｂｉｌｅ  Ｓｔａｔｉｏｎ）は、共に存在する非−８０２．１６無線接続システムに基づいてＣＬＣ活動区間及びＣＬＣ活動周期を決定することが好ましい。移動端末は、ＣＬＣクラスタイプＩのＣＬＣ開始時間を決定でき、基地局（ＡＢＳ：Ａｄｖａｃｅｄ  Ｂａｓｅ  Ｓｔａｔｉｏｎ）はＣＬＣクラスタイプＩＩ及びＩＩＩのＣＬＣ開始時間を決定することが好ましい。
【００７４】
図４を参照すると、移動端末（ＡＭＳ）は、ＣＬＣモードで動作したり、または、相応するＣＬＣクラスを非活性化（ｄｅａｃｔｉｖａｔｉｏｎ）するための要請動作フィールドを含むＣＬＣ要請（ＣＬＣ−ＲＥＱ）メッセージを、基地局（ＡＢＳ）に伝送することができる（Ｓ４０１）。
【００７５】
ＣＬＣ−ＲＥＱメッセージには、移動端末が好むＣＬＣ情報（ＣＬＣ  Ｉｎｆｏｒｍａｔｉｏｎ）パラメータがさらに含まれてもよい。この場合、ＣＬＣ情報パラメータには、移動端末が行おうとするＣＬＣクラスを表すＣＬＣタイプ（ＣＬＣ  ｔｙｐｅ）フィールド、ＣＬＣ開始時間（ＣＬＣ  ｓｔａｒｔ  ｔｉｍｅ）フィールド、ＣＬＣ活動周期（ＣＬＣ  Ａｃｔｉｖｅ  ｃｙｃｌｅ）フィールド及びＣＬＣ活動区間（ＣＬＣ  Ａｃｔｉｖｅ  Ｉｎｔｅｒｖａｌ）フィールドのうち一つ以上が含まれてよい。
【００７６】
基地局（ＡＢＳ）は、これに対する応答としてＣＬＣ応答（ＣＬＣ−ＲＳＰ）メッセージを移動端末に伝送できる。すなわち、基地局は、移動端末のＣＬＣ要請について確認し、各ＣＬＣクラスのタイプを識別するＣＬＣ識別子（ＣＬＣ  ＩＤ）を移動端末に割り当てることで、移動端末と行うＣＬＣクラスを区別することができる。この時、基地局は移動端末が要請したＣＬＣ情報（例えば、ＣＬＣ開始時間情報）に基づいて調整したＣＬＣモードの開始フレームに関する情報を移動端末に伝達することができる（Ｓ４０２）。
【００７７】
移動端末（ＡＭＳ）は、ＣＬＣ活動周期においてＣＬＣ活動区間の間に、共に存在する（Ｃｏ−ｌｏｃａｔｅｄ）無線システムと通信を行い、残りのＣＬＣ活動周期では１６ｍシステムと通信を行うことができる。このような方式で、移動端末はＣＬＣ活動周期ごとにＣＬＣクラスを反復することができる。すなわち、ＣＬＣ応答メッセージを受信した移動端末は、開始されたＣＬＣクラスが非活性化（ｄｅａｃｔｉｖａｔｅ）されるまでＣＬＣモードで動作できる。
【００７８】
移動端末は、ＣＬＣモードを終了したい場合には、非活性化状態（ｄｅａｃｔｉｖａｔｅ）の動作タイプフィールドを含むＣＬＣ要請メッセージを基地局に伝送できる。ＣＬＣ要請メッセージには終了したいＣＬＣ  ＩＤが含まれてよい（Ｓ４１１）。
【００７９】
非活性化状態の動作タイプフィールドを含むＣＬＣ要請メッセージを受信した基地局は、ＣＬＣ  ＩＤを確認し、該当のＣＬＣモードを終了することができる。また、基地局は、ＣＬＣ要請メッセージに対する応答としてＣＬＣ応答メッセージを移動端末に伝送することによって、移動端末のＣＬＣモードを終了させることができる（Ｓ４１２）。
【００８０】
本発明の実施例で用いられるＣＬＣ−ＲＥＱメッセージ及びＣＬＣ−ＲＳＰメッセージは、媒体接近制御（Ｍｅｄｉｕｍ  Ａｃｃｅｓｓ  Ｃｏｎｔｒｏｌ）層で用いられる媒体接近制御（ＭＡＣ）メッセージの一つでよい。
【００８１】
本発明の実施例において、移動端末及び基地局は、ＣＬＣ開始時間とスーパーフレームヘッダー（ＳＦＨ）とが重なることを防ぐために、ＣＬＣ開始時間を適宜決定しなければならない。以下では、ＣＬＣ活動区間とＳＦＨの受信区間とが重なる場合における移動端末及び基地局の動作手順について詳細に説明する。
【００８２】
ＣＬＣ動作期間調整方法
以下では、ＣＬＣ動作期間を調整する方法について詳細に説明する。
【００８３】
図５は、本発明の一実施例であって、ＣＬＣ活動区間を再調整する方法を示す図である。
【００８４】
図５（ａ）には、基地局でＣＬＣ活動区間を調整する方法を示す。図５（ａ）を参照すると、移動端末（ＡＭＳ）は、図４のＳ４０１段階で用いられたＣＬＣ要請メッセージを基地局（ＡＢＳ）に伝送することによって、ＣＬＣモードの開始を要請することができる（Ｓ５１１）。
【００８５】
基地局は、ＣＬＣ要請メッセージに含まれたＣＬＣ情報パラメータを確認し、基地局から提供するＳＦＨの伝送時点と移動端末が要請したＣＬＣ活動区間（好ましくは、ＣＬＣ開始時点）とが重なるか否かを確認することができる。もし、基地局から伝送するＳＦＨの伝送時点と移動端末が要請したＣＬＣ活動区間とが重なる場合には、基地局はＣＬＣ活動区間を調整することができる（Ｓ５１２）。
【００８６】
基地局は、調整したＣＬＣ情報を含むＣＬＣ応答メッセージを移動端末に伝送し、移動端末が要請したＣＬＣモードの動作を行うことができる（Ｓ５１３）。
【００８７】
図５（ｂ）には、移動端末がＣＬＣ活動区間を調整する方法を示す。図５（ｂ）を参照すると、移動端末は基地局から周期的に（例えば、２０ｍｓ）スーパーフレームヘッダー（ＳＦＨ）を受信することができる（Ｓ５２１）。
【００８８】
移動端末は、ＣＬＣモードに進入しようとする時、既に基地局からＳＦＨを受信しているため、移動端末が好むＣＬＣ活動区間とＳＦＨの伝送時間とが重なるか否かを認識することができる。したがって、移動端末は、周期的に伝送されるＳＦＨの伝送時間に基づいてＣＬＣ活動区間を調整することができる（Ｓ５２２）。
【００８９】
したがって、移動端末は、調整されたＣＬＣ活動区間フィールドを含むＣＬＣ情報を、ＣＬＣ要請（ＣＬＣ−ＲＥＱ）メッセージを用いて基地局に伝送することができる（Ｓ５２３）。
【００９０】
基地局は、ＣＬＣ−ＲＥＱメッセージを受信して、移動端末が動作しようとするＣＬＣクラスを確認することができる。したがって、基地局は、ＣＬＣ−ＲＳＰメッセージを移動端末に伝送することによって、移動端末のＣＬＣモード進入を許諾し、移動端末とＣＬＣモードで動作することができる（Ｓ５２４）。
【００９１】
以下では、Ｓ５１２段階及びＳ５２２段階で基地局及び／または移動端末がＣＬＣ動作期間を調整する方法について詳細に説明する。
【００９２】
図６は、本発明の一実施例であって、１６ｍフレーム上でＣＬＣ活動区間を調整する方法を示す図である。
【００９３】
図６の（ａ）、（ｂ）及び（ｃ）で説明する本願発明の実施例は、一つのフレームに属するサブフレームのＤＬ：ＵＬ比率が４：４の場合とする。他の比率を有するサブフレーム構造にも当該実施例を同一に適用可能であるということは言うまでもない。
【００９４】
図６（ａ）には、フレーム単位でＣＬＣ活動区間を調整する方法を示す。図６（ａ）を参照すると、移動端末が要請した（または、要請する）ＣＬＣ活動区間（ＣＬＣ  ａｃｔｉｖｅ  ｉｎｔｅｒｖａｌ）の開始フレームが、スーパーフレームヘッダー（ＳＦＨ）が伝送されるフレームである場合、移動端末及び／または基地局は、その次のフレームにＣＬＣ活動区間を調整することができる。すなわち、ＣＬＣ活動周期の開始フレームは、ＳＦＨが伝送されるフレームの次のフレームと調整できる。
【００９５】
他の方法として、ＣＬＣ活動区間がフレーム単位である場合、移動端末及び／または基地局は、ＳＦＨが伝送されるサブフレームとＣＬＣ活動区間の重なるサブフレームは、多重無線共存（ｍｕｌｔｉ−ｒａｄｉｏ  ｃｏ−ｅｘ）モードで動作しないように制御することができる。この場合、移動端末及び／または基地局は、ＳＦＨと重なるサブフレーム以外の他のＣＬＣ活動区間では、当初交渉したとおりにＣＬＣモードで動作することができる。
【００９６】
図６（ｂ）には、サブフレーム単位でＣＬＣ活動区間を調整する方法を示す。図６（ｂ）を参照すると、移動端末が要請した（または、要請する）ＣＬＣ活動区間の開始サブフレームが、ＳＦＨが伝送されるサブフレームである場合、移動端末及び／または基地局は、その次のサブフレームにＣＬＣ開始時間を調整することができる。すなわち、ＣＬＣ活動周期の開始サブフレームは、ＳＦＨが伝送されるサブフレームの次のサブフレームと調整することができる。
【００９７】
ＣＬＣ活動区間が一つのサブフレーム単位である場合、ＣＬＣ活動区間の調整方法について説明する。もし、ＳＦＨが伝達されるサブフレームとＣＬＣ開始時間とが重なる場合、移動端末及び／または基地局は、ＣＬＣ活動区間の開始時点を、ＳＦＨが伝送されるサブフレームの次のサブフレームと調整し、残りのＣＬＣ活動区間は、当初基地局及び／または移動端末と交渉したとおりに動作できる。
【００９８】
他の方法として、移動端末及び／または基地局は、ＣＬＣ活動区間とＳＦＨの伝送サブフレームとが重なる部分から、残りの部分の全体に対して１サブフレームずつ遷移するように調整することができる。この場合、移動端末及び／または基地局が交渉したＣＬＣ活動周期とＣＬＣ活動区間は、ＳＦＨの伝送サブフレームと重なる度に全体として１サブフレームずつ後ろに移されればよい。
【００９９】
図６（ｃ）には、ＣＬＣ活動区間においてＳＦＨが伝送される場合、移動端末及び／または基地局がＣＬＣ活動区間を１以上のフレーム（または、２以上のサブフレーム）単位で遷移することで、ＣＬＣ活動区間を再調整する方法を示す。
【０１００】
もし、ＣＬＣ活動区間が２以上のサブフレーム単位である場合、移動端末及び／または基地局は、ＣＬＣ活動区間においてＳＦＨの伝送サブフレームと重なるサブフレームは、多重無線共存（Ｍｕｌｔｉ−Ｒａｄｉｏ  Ｃｏ−ｅｘ）モードで動作しないように制御することができる。すなわち、基地局は移動端末にデータを割り当てない。
【０１０１】
もし、ＣＬＣ活動区間が２以上のサブフレーム単位であり、ＣＬＣ活動区間における一部のサブフレームがＳＦＨ伝送周期と重なる場合、移動端末及び／または基地局は、重なるＣＬＣ活動区間は、ＳＦＨが伝送されるサブフレームの次のサブフレームから始まるように調整し、残りのＣＬＣ活動区間は、当初交渉したまま動作する（
【０１０２】
【化１】
0005442109.tif 000003
の活動区間）、または、ＳＦＨと重なる区間から遷移された分だけ全体として遷移して動作する（
【０１０３】
【化２】
0005442109.tif 000004
の活動区間）、ように調整することができる。
【０１０４】
ハンドオーバー後のＣＬＣモード維持方法
本発明の実施例において、ＣＬＣモードの移動端末は、ハンドオーバーを行おうとする場合に、現在活性化中の全てのＣＬＣモード（例、ＣＬＣ  ｃｌａｓｓ  Ｉ、ＣＬＣ  ｃｌａｓｓ  ＩＩ及び／またはＣＬＣ  ｃｌａｓｓ  ＩＩＩ）の動作を部分的に中止することができる。また、移動端末は、ＡＡＩ＿ＨＯ−ＲＥＱメッセージを基地局に伝送したり、ＡＡＩ＿ＨＯ−ＣＭＤメッセージをサービング基地局から受信した後に、ターゲット基地局とハンドオーバー手順を行うためにＣＬＣモードを暫く部分的に中断することができる。
【０１０５】
さらにいうと、ＡＭＳは、ＡＡＩ＿ＨＯ−ＲＥＱを基地局に伝送した後、基地局からＡＡＩ＿ＨＯ−ＣＭＤを受信することができる。ＡＭＳは、この時、ＡＡＩ＿ＨＯ−ＣＭＤメッセージを通じて伝達される中断時間（ｄｉｓｃｏｎｎｅｃｔｉｏｎ  ｔｉｍｅ）に、現在サービング基地局とＣＬＣ動作を中止する。その後、ＡＭＳは、中断時間が終了すると、新しいサービング基地局（すなわち、ターゲット基地局）とＣＬＣモードを再開することができる。
【０１０６】
または、ＡＭＳがＡＡＩ＿ＨＯ−ＣＭＤを受けてハンドオーバーを決定し、サービング基地局にＡＡＩ＿ＨＯ−ＩＮＤを伝達するが、この場合、ＡＭＳは、コード３を伝達する時に、動作中のＣＬＣを終了することができる。コード３（例えば、０ｂ０１）は、ＡＭＳが中断時間の満了時までＳ−ＡＢＳと連結を維持できないということを指示する。その後、ＡＭＳは、現在進行中のＣＬＣモード動作を終えることができる。
【０１０７】
ＣＬＣクラスタイプＩの移動端末は、ハンドオーバー後のＣＬＣ活動周期及びＣＬＣ活動区間パラメータをハンドオーバー前と同一に維持することができ、ＣＬＣ開始時間は、次のＣＬＣ活動周期の開始と設定することができる。
【０１０８】
ＣＬＣクラスタイプＩＩの場合に、新しいサービング基地局（ｎｅｗ  Ｓｅｒｖｉｎｇ  ＡＢＳ）は、ＣＬＣ開始時間のスーパーフレーム番号（ＳＦＮ）を、移動端末からの要請メッセージ（例えば、ＣＬＣ要請メッセージまたはＲＮＧ−ＲＥＱメッセージ）を通じて提案された値に設定することができる。また、新しいサービング基地局は、ＣＬＣ開始時間の開始フレームインデックス（ＳＦＩ）を、移動端末がＣＬＣ要請メッセージを通じて提案した値と異なる値に設定することができる。もし、ハンドオーバーが取り消された場合、移動端末及びサービング基地局は、中断したＣＬＣクラスを自動で再開することができる。以上で説明した内容は、以下に説明する図７乃至図１０に適用することができる。
【０１０９】
以下では、ＣＬＣモードの移動端末がターゲット基地局にハンドオーバーを行った後にも、ＣＬＣモードを維持できる様々な方法について説明する。
【０１１０】
図７乃至図１０において、ターゲット基地局から伝達されるＣＬＣモード開始時間（ｓｔａｒｔ  ｔｉｍｅ）情報は、サービング基地局により伝達された情報に基づいてターゲット基地局から伝達された値であってもよく、サービング基地局から伝達された情報無しで、ターゲット基地局が直接調整した開始時間情報であってもよい。
【０１１１】
例えば、ＣＬＣタイプＩＩ（ＣＬＣ  ｔｙｐｅ  ＩＩ）の場合は、移動端末が要請した情報あるいはサービング基地局から受信した情報ではなく、ターゲット基地局が調整した開始時間情報を、移動端末に伝達することもできる。ＣＬＣタイプＩ（ＣＬＣ  Ｔｙｐｅ  Ｉ）の場合は、ターゲット基地局は、移動端末が要請したとおりの開始時間情報またはサービング基地局から伝達された開始時間情報と同じ開始時間情報を、移動端末に伝達することができる。
【０１１２】
ターゲット基地局がバックボーンネットワークを通じてサービング基地局とＣＬＣコンテクスト（ＣＬＣ  ｃｏｎｔｅｘｔ）を共有する場合（例えば、調整されたハンドオーバー（Ｃｏｏｒｄｉｎａｔｅｄ  ＨＯ））、ターゲット基地局は、移動端末とのネットワーク再進入手順が完了した後、次のＣＬＣ周期（ｎｅｘｔ  ＣＬＣ  ｃｙｃｌｅ）を開始時点と決定し、ＡＡＩ＿ＲＮＧ−ＲＳＰメッセージを通じてＣＬＣ開始情報を移動端末に伝達することができる。
【０１１３】
図７は、本発明の他の実施例であって、ハンドオーバー時にネットワーク再進入過程においてＣＬＣモードを交渉する第一の方法を示す。
【０１１４】
図７のＳ７０１段階及びＳ７０２段階についての説明は、図４のＳ４０１段階及びＳ４０２段階の説明と同一であり、当該部分についての説明は省略する。本発明の他の実施例において、移動端末（ＡＭＳ）は、サービング基地局（Ｓ−ＡＢＳ）と交渉したＣＬＣ情報（例えば、ＣＬＣ活動周期、ＣＬＣ活動区間及びＣＬＣ開始時間）を用いてＣＬＣモードで動作している。この時、様々な原因から、移動端末及び／またはサービング基地局はハンドオーバーを開始することができる。
【０１１５】
移動端末は、既に設定されたハンドオーバー条件を満たすと、ＣＬＣ活動区間以外のＣＬＣ活動周期でサービング基地局へハンドオーバー要請（ＡＡＩ＿ＨＯ−ＲＥＱ）メッセージを伝送することができる。移動端末は、ハンドオーバー要請（ＡＡＩ＿ＨＯ−ＲＥＱ）メッセージに、サービング基地局と交渉したＣＬＣ情報のうち、維持したいＣＬＣ因子を表すＣＬＣモード維持指示子（ＣＬＣ  ｍｏｄｅ  ｍａｉｎｔａｉｎ  ｉｎｄｉｃａｔｏｒ）を含めて伝送することができる。ここで、ＣＬＣモード維持指示子は、ＣＬＣ開始時間以外の、ＣＬＣ活動周期及びＣＬＣ活動区間を維持することを指示するものと想定する（Ｓ７０３）。
【０１１６】
現在サービング基地局は、移動端末と交渉したＣＬＣ情報（例えば、ＣＬＣ活動区間及び／またはＣＬＣ活動周期）を、バックボーンネットワークを通じてターゲット基地局（Ｔ−ＡＢＳ）に伝送することで、ＣＬＣコンテクスト（ＣＬＣ  ｃｏｎｔｅｘｔ、すなわち、ＣＬＣ因子）を共有することができる（Ｓ７０４）。
【０１１７】
Ｓ７０３段階で移動端末がＡＡＩ＿ＨＯ−ＲＥＱメッセージを基地局に伝送する時、ＣＬＣモード維持指示子が含まれていなくても、ハンドオーバー実行中の移動端末がＣＬＣモードで動作していると、サービング基地局は、移動端末から別の指示子が伝達されなくても、ＣＬＣモードコンテクストをターゲット基地局と共有することができる。
【０１１８】
Ｓ７０４段階で、現在サービング基地局はターゲット基地局に、移動端末に関する情報（ＡＭＳ  ｉｎｆｏｒｍａｉｔｏｎ）を伝達することができる。移動端末に関する情報には、移動端末の媒体接近制御アドレス及び／または移動端末コンテクスト（ＡＭＳ  ｃｏｎｔｅｘｔ；ＡＭＳ  ｉｎｆｏｒｍａｔｉｏｎ）などが含まれてよい。
【０１１９】
また、ターゲット基地局は、移動端末がターゲット基地局へとネットワーク再進入する時に用いる専用レンジングコード（ｄｅｄｉｃａｔｅｄ  ｒａｎｇｉｎｇ  ｃｏｄｅ）、レンジング機会（ｒａｎｇｉｎｇ  ｏｐｐｏｒｔｕｎｉｔｙ）及び動作時間（Ａｃｔｉｏｎ  Ｔｉｍｅ）パラメータの一つ以上を含むハンドオーバー関連情報を、バックボーンネットワークを通じてサービング基地局に伝達することができる。
【０１２０】
サービング基地局は、ハンドオーバー要請メッセージに対する応答としてハンドオーバー関連情報を含むハンドオーバー命令（ＡＡＩ＿ＨＯ−ＣＭＤ）メッセージを移動端末に伝送することができる（Ｓ７０５）。
【０１２１】
移動端末は、ハンドオーバーを行おうとする場合に、選択的にサービング基地局にハンドオーバー指示メッセージを伝送することができる（Ｓ７０６）。
【０１２２】
移動端末は、ハンドオーバー手順を行うことから、新しい基地局（Ｎｅｗ  ＡＢＳ）であるターゲット基地局（Ｔ−ＡＢＳ）にネットワーク再進入を試みるために、レンジング要請（ＡＡＩ＿ＲＮＧ−ＲＥＱ）メッセージを伝送することができる（Ｓ７０７）。
【０１２３】
ターゲット基地局（Ｔ−ＡＢＳ）は、ターゲット基地局でＣＬＣモードを行うためのＣＬＣ開始時間情報（例えば、スーパーフレーム番号（ＳＦＮ：Ｓｕｐｅｒ  Ｆｒａｍｅ  Ｎｕｍｂｅｒ）及び開始フレームインデックス（ＳＦＩ：Ｓｔａｒｔ  Ｆｒａｍｅ  Ｉｎｄｅｘ））をレンジング応答（ＡＡＩ＿ＲＮＧ−ＲＳＰ）メッセージに含めて移動端末に伝送することができる（Ｓ７０８）。
【０１２４】
したがって、移動端末は、ＲＮＧ−ＲＳＰメッセージに含まれたＣＬＣ開始時間情報を用いてターゲット基地局にハンドオーバーした後、新しいサービング基地局とＣＬＣモードを直ちに開始することができる。すなわち、ＡＭＳは、ＣＬＣ開始時間情報に基づいて次のＣＬＣ活性周期が始まる時にＣＬＣモードを再開することができる。
【０１２５】
図７のＳ７０８段階においてターゲット基地局がレンジング応答メッセージを通じて、調整された（または、サービング基地局から伝達された）ＣＬＣ時間情報を移動端末に伝送する実施例を開示した。しかし、サービング基地局（Ｓ−ＡＢＳ）及びターゲット基地局（Ｔ−ＡＢＳ）は、Ｓ７０４段階で既にＣＬＣに関するコンテクスト情報（例、ＣＬＣ活動周期及びＣＬＣ活動区間など）を共有している状態である。
【０１２６】
したがって、図７で説明した実施例の他の側面として、ターゲット基地局は、移動端末で使用しているＣＬＣ開始時間を、Ｓ７０４段階であらかじめ調整してサービング基地局に知らせることができる。Ｓ７０４段階でＣＬＣコンテクストを単に共有することに留まらず、ＣＬＣコンテクストを交渉してＴ−ＡＢＳに提供できるＣＬＣコンテクストをＳ−ＡＢＳに伝送することができる。
【０１２７】
こうする場合には、サービング基地局は、Ｓ７０５段階のＨＯ−ＣＭＤメッセージに、調整されたＣＬＣ開始時間情報を含めて移動端末に知らせることができる。したがって、移動端末は、ターゲット基地局とのネットワーク再進入手順においてＣＬＣ情報を交換することなく、直ちにターゲット基地局とＣＬＣモードで動作することができる。
【０１２８】
図８は、本発明の他の実施例であって、ハンドオーバー時にネットワーク再進入過程においてＣＬＣモードを交渉する第二の方法を示す。
【０１２９】
図８のＳ８０１段階乃至Ｓ８０６段階についての説明は、図７のＳ７０１段階乃至Ｓ７０６段階の説明と同一であり、当該部分についての説明は省略するものとする。
【０１３０】
移動端末は、ハンドオーバー過程において、ターゲット基地局へとネットワーク再進入手順を行うことができる。すなわち、移動端末は、Ｓ８０５段階で獲得したハンドオーバー関連情報を用いてネットワーク再進入手順を行うことができる。
【０１３１】
移動端末は、ネットワーク再進入を行うために、専用ＣＤＭＡレンジングコードをターゲット基地局に伝送することができる（Ｓ８０７）。
【０１３２】
専用ＣＤＭＡレンジングコードを受信したターゲット基地局は、ハンドオーバーレンジングを行うために必要なアップリンク無線リソース割当情報を含むレンジング応答（ＡＡＩ＿ＲＮＧ−ＲＳＰ）メッセージを移動端末に伝送する（Ｓ８０８）。
【０１３３】
移動端末は、割り当てられたアップリンク無線リソースを通じてレンジング要請メッセージをターゲット基地局に伝送し（Ｓ８０９）、ターゲット基地局が移動端末にレンジング応答メッセージを伝送することで（Ｓ８１０）、移動端末とターゲット基地局とは互いに物理リソースを共有でき、ネットワーク再進入手順が完了する。
【０１３４】
ネットワーク再進入手順を通じてターゲット基地局に接続した移動端末は、ＣＬＣモード動作を開始するために、ＣＬＣ要請メッセージを、新しいサービング基地局であるターゲット基地局に伝送することができる（Ｓ８１１）。
【０１３５】
Ｓ８１１段階で、ＣＬＣ要請メッセージには、移動端末がＣＬＣモードで用いるために要請するＣＬＣ開始時点情報が含まれてよい。ＣＬＣ開始時点情報には、ＣＬＣモードが開始されるスーパーフレーム番号（ＳＦＮ）及び開始フレームインデックス（ＳＦＩ）などが含まれてよい。
【０１３６】
新しいサービング基地局（すなわち、Ｔ−ＡＢＳ）は、移動端末が要請したＣＬＣ開始時点情報を、必要に応じて調整することができる。すなわち、移動端末が要請するＣＬＣ開始時点情報が新しいサービング基地局で支援可能なものである場合は、新しいサービング基地局は、要請されたＣＬＣ開始時点情報を調整しなくてすむ。
【０１３７】
しかし、移動端末が要請したＣＬＣ開始時点情報が、新しいサービング基地局で支援可能でないものであれば、新しいサービング基地局は、要請されたＣＬＣ開始時点情報を調整して移動端末に伝送することができる。ＣＬＣ開始時点情報を調整する方法は、図５及び図６を参照すればいい。その後、移動端末は、新しいサービング基地局で調整されたＣＬＣ開始時点情報を用いてＣＬＣモードを開始することができる。
【０１３８】
もし、図８で説明した実施例において、基地局間にＣＬＣコンテクスト共有（ＣＬＣ  ｃｏｎｔｅｘｔ  ｓｈａｒｉｎｇ）がされていない場合（例えば、非調整ハンドオーバー（ｕｎｃｏｏｒｄｉｎａｔｅｄ  ＨＯ））は、移動端末は次のように動作することができる。Ｓ８１１段階で、移動端末は、ＣＬＣ周期、ＣＬＣ動作区間（ＣＬＣ  ａｃｔｉｖｅ  ｉｎｔｅｒｖａｌ）、及びＣＬＣモード開始時点情報を全てターゲット基地局に伝達することによって、ＣＬＣモードの開始を要求することができる。また、ターゲット基地局とサービング基地局との間にＣＬＣコンテクスト共有がされている場合（例えば、調整されたハンドオーバー）は、Ｓ８１１段階及びＳ８１２段階におけるＭＡＣメッセージは、ＡＡＩ＿ＲＮＧ−ＲＥＱとＡＡＩ＿ＲＮＧ−ＲＳＰメッセージに取り替わってよい。
【０１３９】
図９は、本発明の他の実施例であって、ハンドオーバー時にネットワーク再進入過程においてＣＬＣモードを交渉する第三の方法を示す。
【０１４０】
図９のＳ９０１段階乃至Ｓ９１０段階は、図８のＳ８０１段階乃至Ｓ８１０段階と同一である。したがって、重複説明を避けるために、図９のＳ９０１段階乃至Ｓ９１０段階についての説明は省略する。
【０１４１】
図９は、図８と違い、新しいサービング基地局（すなわち、Ｔ−ＡＢＳ）が要請されていないＣＬＣ応答メッセージを伝送する実施例に関するものである。Ｓ９０４段階で、サービング基地局及びターゲット基地局は、移動端末のＣＬＣコンテクスト情報を既に共有している。このため、移動端末がハンドオーバーを行う場合、新しいサービング基地局は、移動端末のＣＬＣ要請がなくても、調整されたＣＬＣ開始時点情報（例えば、ＳＦＮ、ＳＦＩ）を含むＣＬＣ応答メッセージを移動端末に伝送することができる（Ｓ９１１）。
【０１４２】
調整されたＣＬＣ応答メッセージを受信した移動端末は、調整されたＣＬＣ開始時点情報を用いて新しいサービング基地局でＣＬＣモードを行うことができる。
【０１４３】
図１０は、本発明の他の実施例であって、ハンドオーバー時にネットワーク再進入過程においてＣＬＣモードを交渉する第四の方法を示す。
【０１４４】
図１０のＳ１００１段階乃至Ｓ１００３段階は、図８のＳ８０１段階乃至Ｓ８０３段階と同一であり、当該部分についての説明は省略する。図１０で、サービング基地局は、移動端末が伝送したＣＬＣモード維持についての確認とともに、ハンドオーバー命令（ＡＡＩ−ＨＯ−ＣＭＤ）メッセージを移動端末に伝送することができる（Ｓ１００４）。
【０１４５】
図１０では、様々な理由から、ターゲット基地局とサービング基地局との間にＣＬＣコンテクスト情報が共有されていない場合を取り上げる。例えば、サービング基地局が、多数の候補基地局に対するハンドオーバー関連情報を移動端末に伝送したが、移動端末が好むターゲット基地局がない場合、または、移動端末がサービング基地局から提供された候補基地局へのハンドオーバーに失敗した場合がありうる。それらの場合、移動端末に対するＣＬＣ情報を、ターゲット基地局がサービング基地局と共有することができない。
【０１４６】
移動端末は、ターゲット基地局から周期的に伝送されるプリアンブルまたはＳＦＨを受信してアップリンク同期を合わせ、最も早いレンジング機会に、ＣＤＭＡレンジングコードをターゲット基地局に伝送することができる（Ｓ１００６）。
【０１４７】
ＣＤＭＡレンジングコードを受信したターゲット基地局は、ハンドオーバーレンジングを行うために必要なアップリンク無線リソースに関する割当情報を含むレンジング応答（ＡＡＩ＿ＲＮＧ−ＲＳＰ）メッセージを、移動端末に伝送する（Ｓ１００７）。
【０１４８】
移動端末は、割り当てられたアップリンク無線リソースを通じて、移動端末が維持しようとするＣＬＣ情報を含むレンジング要請メッセージを、ターゲット基地局に伝送することができる。
【０１４９】
Ｓ１００３でＣＬＣモードを維持するための指示子を伝送した場合、あるいは、ハンドオーバーを行う端末からの要請なしにもサービング基地局とターゲット基地局との間にＣＬＣコンテクストが共有されている場合は、基地局のＡＡＩ＿ＲＮＧ−ＲＥＱメッセージのためのアップリンクリソースを、ＣＬＣモード情報を伝送することを考慮して割り当てることができる
この場合、ＣＬＣ情報には、移動端末が要請するＣＬＣ活動周期、ＣＬＣ活動区間及びＣＬＣ開始時間パラメータが含まれてよい。また、移動端末は、ＣＬＣ情報に加えて、移動端末が維持しようとするＣＬＣ情報を指示するＣＬＣモード維持指示子（ＣＬＣ  ｍｏｄｅ  ｍａｉｎｔａｉｎ  ｉｎｄｉｃａｔｏｒ）をレンジング要請メッセージにさらに含めてターゲット基地局に伝送することができる（Ｓ１００８）。
【０１５０】
この場合、Ｓ１００８段階でＣＬＣモード維持指示子は、ＣＬＣ活動周期及びＣＬＣ活動区間を維持することを指示することができる。他の方法として、移動端末は、Ｓ１００８段階で、ＣＬＣ要請メッセージに移動端末が要請するＣＬＣ開始時点情報を含めて伝送することができる。ＣＬＣ開始時点情報には、ＣＬＣモードが開始されるスーパーフレーム番号（ＳＦＮ）及び開始フレームインデックス（ＳＦＩ）などが含まれてよい。
【０１５１】
ターゲット基地局（Ｔ−ＡＢＳ）は、Ｓ１００８段階で受信したＣＬＣ情報及び／またはＣＬＣモード維持指示子に基づいてＣＬＣ情報を調整することができる。ターゲット基地局でＣＬＣ情報を調整する方法は、図５または図６を参照すればいい。例えば、ターゲット基地局は、ＣＬＣモードを行うために調整したＣＬＣ開始時間情報（例えば、スーパーフレーム番号（ＳＦＮ）及び開始フレームインデックス（ＳＦＩ））を、レンジング応答（ＡＡＩ＿ＲＮＧ−ＲＳＰ）メッセージに含めて移動端末に伝送することができる（Ｓ１００９）。
【０１５２】
図１０のＳ１００３段階で、移動端末がＣＬＣモードを維持するための指示子をサービング基地局に伝送した場合、または、サービング基地局とターゲット基地局との間にＣＬＣコンテクストが共有されている場合は、ターゲット基地局は、ハンドオーバーを行う移動端末からの要請なしにも、ＣＬＣモード情報を含むＡＡＩ＿ＲＮＧ−ＲＥＱメッセージ伝送のためのアップリンクリソースを、移動端末に割り当てることができる
図１１は、本発明のさらに他の実施例であって、ＣＬＣ情報変更を行う方法の一つを示す図である。
【０１５３】
図１１のＳ１１０１段階及びＳ１１０２段階は、図４のＳ４０１段階及びＳ４０２段階と同一であり、当該部分についての説明は省略する。移動端末（ＡＭＳ）は、Ｓ１１０２段階でＣＬＣ応答メッセージを受信することで、ＣＬＣモードに進入できる。
【０１５４】
本発明の実施例では、基地局（ＡＢＳ）は、ＣＬＣモードで動作中のＡＭＳのために周期的にアップリンクリソースを割り当てることができる。すなわち、ＡＢＳは、ＣＬＣモードのＡＭＳに、所定の無線リソース領域に関する割当情報を含むアップリンクグラント（ＵＬ  Ｇｒａｎｔ）メッセージを、ＡＭＳからの要請がなくても伝送することができる（Ｓ１１０３）。
【０１５５】
Ｓ１１０３段階で、ＡＭＳからの要請なしに伝送されるＵＬグラントメッセージは、毎ＣＬＣ活動区間か始まる直前に伝送されればよい。ＵＬグラントの伝送周期は、ＣＬＣモードを交渉する段階（例えば、Ｓ１１０１段階及びＳ１１０２段階）で共に交渉されるとよい。また、ＵＬグラントの伝送周期が交渉された後には、基地局は、交渉された周期ごとに、ＵＬグラントメッセージを、移動端末の要請がなくても伝送することができる。
【０１５６】
ＡＭＳは、ＣＬＣ因子（例えば、ＣＬＣ開始時間、ＣＬＣ活動区間及び／またはＣＬＣ活動周期など）を変更したい場合は、ＣＬＣ要請メッセージを通じて、現在設定されたＣＬＣ情報を再構成（ｒｅ−ｃｏｎｆｉｇｕｒｅ）してＡＢＳに伝送することができる（Ｓ１１０４）。
【０１５７】
ＡＢＳは、ＣＬＣ要請メッセージを通じて変更を要請したＣＬＣ因子を確認した後、変更されたＣＬＣ値によってＡＭＳとＣＬＣモード動作を行うことができる。ＡＢＳは、ＣＬＣ因子の変更を許諾するために、ＣＬＣ応答メッセージを移動端末に伝送することができる（Ｓ１１０５）。
【０１５８】
図１１で、ＡＭＳに割り当てられた周期的なチャネル品質指示チャネル（ＣＱＩＣＨ）がある場合、ＡＭＳがＣＬＣ因子の変更を必要とすることがある。この場合、ＡＭＳは、あらかじめ定められたＣＱＩ（Ｃｈａｎｎｅｌ  Ｑｕａｌｉｔｙ  Ｉｎｄｉｃａｔｏｒ）値を基地局に伝送し、これを受信した基地局は、ＵＬグラントメッセージをＡＭＳに伝送して、ＣＬＣ要請メッセージを伝送するアップリンクリソース領域を割り当てることができる。または、ＣＱＩ値が、あらかじめ約束されたＣＬＣ因子の変更周期を表すことができ、ＭＳは当該変更周期でＣＬＣ因子の変更を直ちに行うことができる。
【０１５９】
移動端末がＣＬＣモードを終了しようとする場合には、動作コードが非活性化（ｄｅａｃｔｉｖａｔｅ）に設定されたＣＬＣ要請メッセージを、基地局に伝送することができる（Ｓ１１０６）。
【０１６０】
Ｓ１１０６段階でＣＬＣ要請メッセージを受信した基地局は、移動端末がＣＬＣモードを終了することを認識できる。したがって、ＡＢＳはＡＭＳにＣＬＣ応答メッセージを伝送することで、移動端末のＣＬＣモードを終了させることができる（Ｓ１１０７）。
【０１６１】
図１２は、本発明のさらに他の実施例であって、図２乃至図１１で説明した本発明の実施例を実行できる移動端末及び基地局を示す図である。
【０１６２】
移動端末は、アップリンクでは送信機として動作し、ダウンリンクでは受信機として動作することができる。また、基地局は、アップリンクでは受信機として動作し、ダウンリンクでは送信機として動作することができる。
【０１６３】
すなわち、移動端末及び基地局は、情報、データ及び／またはメッセージの伝送及び受信を制御するためにそれぞれ送信モジュール（Ｔｘ  ｍｏｄｕｌｅ）１２４０，１２５０）及び受信モジュール（Ｒｘ  ｍｏｄｕｌｅ）１２５０，１２７０を備えることができ、情報、データ及び／またはメッセージを送受信するためのアンテナ１２００，１２１０などを備えることができる。また、移動端末及び基地局はそれぞれ、上述した本発明の実施例を行うためのプロセッサ（Ｐｒｏｃｅｓｓｏｒ）１２２０，１２３０、及びプロセッサの処理過程を臨時的にまたは持続的に保存できるメモリー１２８０，１２９０をそれぞれ備えることができる。
【０１６４】
特に、本発明のプロセッサ１２２０，１２３０は、本発明の実施例で開示したＣＬＣモードを支援するためのＣＬＣモジュールを含むことができる。また、図１２の移動端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。
【０１６５】
移動端末及び基地局に含まれた伝送モジュール及び受信モジュールは、データ伝送のためのパケット変復調機能、高速パケットチャネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／またはチャネル多重化機能を行うことができる。
【０１６６】
また、移動端末及び基地局に含まれたプロセッサは、上述した本発明の非協力的ハンドオーバーを行うための制御機能、ハンドオーバー（ＨａｎｄＯｖｅｒ）機能、認証及び暗号化機能、サービス特性及び伝播環境に応じたＭＡＣ（Ｍｅｄｉｕｍ  Ａｃｃｅｓｓ  Ｃｏｎｔｒｏｌ）フレーム可変制御機能、高速トラフィック実時間制御機能及び／または実時間モデム制御機能などを行うことができる。
【０１６７】
図１２で説明した移動端末及び基地局は、図２乃至図１１で説明した方法を実現できる手段である。上記の移動端末及び基地局装置の構成成分及び機能を用いて本願発明の実施例を実行することができる。
【０１６８】
移動端末に設けられたプロセッサ１２２０は、ハンドオーバーを制御できるハンドオーバーモジュール及びＣＬＣモードを制御できるＣＬＣモジュールを備えている。移動端末は、ハンドオーバーモジュールを用いてハンドオーバー機能を行うことができる。また、移動端末は、ＣＬＣモジュールを用いてＣＬＣモード動作を行うことができる。
【０１６９】
移動端末のプロセッサ１２２０は、図５または図６で説明したＣＬＣ活動区間の調整を行うことができる。もし、移動端末がＣＬＣモードで動作しようとする場合は、プロセッサ１２２０は、ＣＬＣ要請メッセージまたはＲＮＧ−ＲＥＱメッセージにＣＬＣ情報を含めるとともに、伝送モジュール１２４０を制御して、ＣＬＣ情報を含むＣＬＣ要請メッセージまたはＲＮＧ−ＲＥＱメッセージを、アンテナ１２００からサービング基地局に伝送することができる。
【０１７０】
また、移動端末の受信モジュール１２６０は、サービング基地局から伝送されたＣＬＣ応答メッセージ及び／またはＲＮＧ−ＲＥＱメッセージを受信して、プロセッサ１２２０に伝達し、プロセッサは、ＣＬＣ応答メッセージ及び／またはＲＮＧ−ＲＥＱ命令メッセージに含まれたＣＬＣ情報をメモリーに保存し、ＣＬＣ情報を用いてＣＬＣ動作を行うことができる。
【０１７１】
移動端末は、ハンドオーバーモジュール及びＣＬＣモジュールを備えるプロセッサを用いて、図６乃至図１１で説明したＣＬＣ交渉手順、ハンドオーバー手順及びネットワーク再進入手順をターゲット基地局と行うことができ、該当のメッセージを送信モジュール、受信モジュール及びアンテナを用いて送受信することができる。プロセッサは、当該ＣＬＣモードを制御する機能を果たす。
【０１７２】
サービング基地局の受信モジュール１２７０は、アンテナ１２５０を介して受信したＣＬＣ要請メッセージ及び／またはＣＬＣ応答メッセージを、プロセッサ１２９０に伝達することができる。プロセッサ１２９０は、メモリー１２９０に移動端末関連情報及びＣＬＣ情報を保存し、ＣＬＣ関連情報を含むハンドオーバー命令メッセージを伝送モジュール１２５０を介して移動端末に伝送することができる。
【０１７３】
ターゲット基地局は、アンテナ、送信モジュール及び受信モジュールを用いて、図３乃至図８で説明したネットワーク再進入手順を移動端末と行うことができる。すなわち、ターゲット基地局は、プロセッサのハンドオーバーモジュールを用いてハンドオーバー手順を管理し、それによる動作を行う上で必要なメッセージを移動端末と送受信することができる。
【０１７４】
一方、本発明において、移動端末には、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブック型ＰＣ、スマート（Ｓｍａｒｔ）フォンまたはマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０１７５】
ここで、スマートフォンとは、移動通信端末機と個人携帯端末機のメリットを結合した端末機で、移動通信端末機に、個人携帯端末機の機能である日程管理、ファックス送受信及びインターネット接続などのデータ通信機能を組み合わせた端末機のことを意味する。また、マルチモードマルチバンド端末機とは、マルチモデムチップを組み込んでおり、携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システム等）のいずれにおいても作動できる端末機のことをいう。
【０１７６】
本発明に係る実施例は、様々な手段、例えば、ハードウェア、ファームウェア（ｆｉｒｍｗａｒｅ）、ソフトウェアまたはそれらの結合などにより具現することができる。
【０１７７】
ハードウェアによる具現の場合、本発明の一実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１７８】
ファームウェアやソフトウェアによる具現の場合、本発明の一実施例に係る方法は、以上で説明された機能または動作を行うモジュール、手順または関数などの形態とすることができる。例えば、ソフトウェアコードは、メモリーユニット１２８０，１２９０に保存され、プロセッサ１２２０，１２３０により駆動されてよい。メモリーユニットは、プロセッサの内部または外部に設けられて、公知の様々な手段によりプロセッサとデータを交換することができる。
【０１７９】
本発明は、本発明の技術的思想及び必須特徴を逸脱しない範囲で他の特定の形態に具体化可能であるということは、当業者にとっては明らかである。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。なお、特許請求の範囲で明示的な引用関係を有しない請求項を結合して実施例を構成したり、出願後の補正により新しい請求項として含めることができるということは明らかである。
【産業上の利用可能性】
【０１８０】
本発明の実施例は、様々な無線接続システムに適用することができる。様々な無線接続システムの例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記様々な無線接続システムの他に、上記様々な無線接続システムを応用したいずれの技術分野にも適用することができる。
【図１】
0005442109.tif 000005
【図２】
0005442109.tif 000006
【図３】
0005442109.tif 000007
【図４】
0005442109.tif 000008
【図５】
0005442109.tif 000009
【図６】
0005442109.tif 000010
【図７】
0005442109.tif 000011
【図８】
0005442109.tif 000012
【図９】
0005442109.tif 000013
【図１０】
0005442109.tif 000014
【図１１】
0005442109.tif 000015
【図１２】
0005442109.tif 000016